(57)【要約】【課題】  医薬品を各々収納する複数の収納部を設けた収納体と、収納部の一つを露出させる窓部が形成された遮蔽体の一方の回転を大幅に減速させて、１日以上の長期間にわたり医薬品を適時に供給することができる医薬品供給装置を提供する。【解決手段】  服用が予定された医薬品を適時に供給するための医薬品供給装置は、医薬品を各々収納する複数の収納部１ａを設けた収納体１と、収納部１ａの一つを露出させる窓部２ａが形成された遮蔽体２と、収納体１と遮蔽体２のいずれか一方を回転駆動する時計機構を備えている。時計機構は、一定回転するモータ１０と、このモータ１０の回転により作動するカムスイッチ１１と、このカムスイッチ１１の通電により収納体１と遮蔽体２の一方を回転駆動する駆動モータ７とを有している。カムスイッチ１１は、１回転に１回の短時間通電により駆動モータ７を間欠に通電して遮蔽板２を回転させる。【選択図】図１
2016144611.tif 000002
【特許請求の範囲】
【請求項１】
服用が予定された医薬品を適時に供給するための医薬品供給装置であって、
前記医薬品を各々収納する複数の収納部を設けた収納体と、
前記収納部の一つを露出させる窓部が形成された遮蔽体と、
前記収納体と前記遮蔽体のいずれか一方を回転駆動する時計機構を備え、
前記時計機構は、一定回転するモータと、このモータの回転により作動するカムスイッチと、このカムスイッチの通電により前記収納体と前記遮蔽体の一方を回転駆動する駆動モータとを有し、
前記カムスイッチは、１回転に１回の短時間通電により前記駆動モータを間欠に通電して前記遮蔽板を回転させることを特徴とする医薬品供給装置。
【請求項２】
カムスイッチは、一定回転するモータの回転軸に設けられて外周に突起が形成されたカム部と、前記突起によって可動片を押圧したときに作動するスイッチからなり、前記突起が１回転して前記可動片を１回押圧して前記スイッチの作動により駆動モータを駆動する時間を、前記収納体と前記遮蔽体の一方が回転する時間に設定した請求項１に記載の医薬品供給装置。
【請求項３】
カム部の外周に形成された突起、もしくは前記突起によって押圧される可動片を有する前記スイッチのいずれか一方に、前記突起と前記可動片の距離を調整して前記スイッチの作動期間を調整する調整機構を設けた請求項２に記載の医薬品供給装置。
【請求項４】
収納体に形成された医薬品を各々収納する複数の収納部は、医薬品の服用時刻に対応させて設けた請求項１に記載の医薬品供給装置。
【請求項５】
遮蔽体に形成された窓部の回転方向の幅を収納部の回転方向の幅の２倍以下に形成した請求項１に記載の医薬品供給装置。
【発明の詳細な説明】
【技術分野】
【０００１】  本発明は、服用が予定された医薬品を適時に供給するための医薬品供給装置に関する。
【背景技術】
【０００２】  高齢者や認知症患者が、医師の処方による医薬品を服用する場合、定められた時刻に服用するための管理が困難であり、飲み忘れ・重ね飲み・飲み過ぎ・服用無視などの問題がある。この問題の対策として、特許文献１に示すようなカレンダーに収納袋を取り付けたものが販売されているが、誤飲防止効果が高いとはいいがたい。また、特許文献１、２に示すような、小区画収納部を備え１回分の薬を投入しておき、タイマーで設定した時刻に取り出し可能とする装置が各種提案されている。
【先行技術文献】
【特許文献】
【０００３】
【特許文献１】実用新案登録第３０９４３７７号公報
【特許文献２】特開２０１１−３１０３６号公報
【特許文献３】実用新案登録第３００６６７７号公報
【発明の開示】
【発明が解決しようとする課題】
【０００４】  上述した特許文献２、３に開示された従来装置は、詳細に記述されていないが、概ね、薬剤を格納した複数個の小容器を円周上に配列した大容器を、一定方向に回転駆動するモータと減速歯車からなる回転減速装置によって回転駆動している。しがしながら、大容器を１日１回転させるための回転駆動装置を実現させるためには、著しく低速回転させるモータ、及び、多数の減速歯車を多段に組み合わせた複雑な回転駆動装置が必要になる。このため、回転駆動装置そのものが大型化してしまい、コンパクトにできない問題がある。しかも、部品点数が多くなることから、必然的に高価になる問題がある。一方、コンパクト化するために、コンピュータを使用してプログラム化して回転駆動装置を制御する方法も考えられるが、やはり構成が複雑になるため高価になる問題は解消できない。【０００５】  本発明はこれらの課題を解決すべくなされたものであり、その目的とするところは、医薬品を各々収納する複数の収納部を設けた収納体と、収納部の一つを露出させる窓部が形成された遮蔽体の一方の回転を大幅に減速させて、１日以上の長期間にわたり医薬品を適時に供給することができる医薬品供給装置を提供することにある。
【課題を解決するための手段】
【０００６】  上記課題を解決するため、本発明による医薬品供給装置は、服用が予定された医薬品を適時に供給するための医薬品供給装置であって、前記医薬品を各々収納する複数の収納部を設けた収納体と、前記収納部の一つを露出させる窓部が形成された遮蔽体と、前記収納体と前記遮蔽体のいずれか一方を回転駆動する時計機構を備え、前記時計機構は、一定回転するモータと、このモータの回転により作動するカムスイッチと、このカムスイッチの通電により前記収納体と前記遮蔽体の一方を回転駆動する駆動モータとを有し、前記カムスイッチは、１回転に１回の短時間通電により前記駆動モータを間欠に通電して前記遮蔽板を回転させることを要旨としている。【０００７】  さらに、本発明の医薬品供給装置において、カムスイッチは、一定回転するモータの回転軸に設けられて外周に突起が形成されたカム部と、前記突起によって可動片を押圧したときに作動するスイッチからなり、前記突起が１回転して前記可動片を１回押圧して前記スイッチの作動により駆動モータを駆動する時間を、前記収納体と前記遮蔽体の一方が回転する時間に設定している。【０００８】  また、カム部の外周に形成された突起、もしくは前記突起によって押圧される可動片を有する前記スイッチのいずれか一方に、前記突起と前記可動片の距離を調整して前記スイッチの作動期間を調整する調整機構を設けることが望ましい。【０００９】  さらにまた、収納体に形成された医薬品を各々収納する複数の収納部は、医薬品の服用時刻に対応させて設けることが望ましい。【００１０】  また、遮蔽体に形成された窓部の回転方向の幅を収納部の回転方向の幅の２倍以下に形成することが望ましい。
【発明の効果】
【００１１】  本発明の医薬品供給装置によれば、時計機構として、一定回転するモータの回転により作動するカムスイッチが１回転するとき、１回の短時間通電して駆動モータを駆動させることから、この駆動モータが微少角度で間欠回転するので、著しく低速に減速させることができる。これにより、医薬品を各々収納する複数の収納部を設けた収納体、または、収納部の一つを露出させる窓部が形成された遮蔽体を１日分の長時間にわたり回転させることが可能となる。このように、１回転を１日以上の長時間回転させるように減速させる時計機構であっても、一定回転するモータとカムスイッチによる簡易な構成のため、小型化が可能であり、しかも、部品点数が少ないことから安価にできる。【００１２】  また、カムスイッチとして、カム部に形成された突起によりスイッチの可動片を押圧するように構成することにより、突起による押圧時間によって駆動モータの駆動時間を設定でき、押圧時間を短時間に設定することにより、駆動モータの回転時間を容易に１日２４時間以上の長時間にすることができる。【００１３】  さらに、カム部の突起、もしくは可動片を有するスイッチのいずれか一方に調整機構を設けることにより、突起と可動片の距離が調整できることから、スイッチの作動期間を調整して駆動モータの回転時間を任意に設定することが可能となる。【００１４】  さらにまた、収納体に形成された医薬品を各々収納する複数の収納部を、医薬品の服用時刻に対応させて設けることにより、収納体と遮蔽体のいずれか一方が時計機構により定速回転していても、服用が予定された医薬品を適時に供給することが可能になる。【００１５】  また、遮蔽体に形成された窓部の回転方向の幅を収納部の回転方向の幅の２倍以下に形成することにより、窓部と収納部との位置がずれていても医薬品を取り出すことが可能となり、窓部の幅を適宜に設定することにより、医薬品を取り出す時刻が数１０分から１時間程度になるので、例えば医薬品を食後に服用するよう指示された場合、食事の時刻が変動しても、定められた食後に服用することが可能となる。また、窓部の幅を大きくして隣接する２つの収納部に重なった場合であっても、収納部の開口が小さくなることから医薬品が取り出せない状態となるので支障がない。
【図面の簡単な説明】
【００１６】
【図１】本発明による医薬品供給装置を示す正面図である。
【図２】図１に示す医薬品供給装置の断面図である。
【図３】（Ａ）（Ｂ）は、時計機構の動作を示す説明図である。
【図４】時計機構の調整機構を示す平面図である。
【発明を実施するための最良の形態】
【００１７】  本発明による医薬品供給装置は、服用が予定された医薬品を適時に供給するための医薬品供給装置であって、前記医薬品を各々収納する複数の収納部を設けた収納体と、前記収納部の一つを露出させる窓部が形成された遮蔽体と、前記収納体と前記遮蔽体のいずれか一方を回転駆動する時計機構を備え、前記時計機構は、一定回転するモータと、このモータの回転により作動するカムスイッチと、このカムスイッチの通電により前記収納体と前記遮蔽体の一方を回転駆動する駆動モータとを有し、前記カムスイッチは、１回転に１回の短時間通電により前記駆動モータを間欠に通電して前記遮蔽板を１日分回転させる。【００１８】  以下、図面に基いて本発明の好適な実施例について説明する。図１は、本発明による医薬品供給装置を示している。医薬品供給装置は、医薬品を各々収納する複数の収納部１ａを設けた収納体１と、収納部１ａの一つを露出させる窓部２ａが形成された遮蔽体２、及び、後述する時計機構によって構成されている。【００１９】  収納体１は、プラスチックや木によって円盤状に形成され、外周側には複数の収納部１ａが円環状に設けられている。複数の収納部１ａは、図２に示すように、カップ状に形成され、収納体１と同一円上に配列されている。この収納部１ａには、１回分の医薬品３を収納する容器４が収納されている。さらに、収納体１は、複数本の支柱５を介して基盤６に固定されている。また、遮蔽体２の中心部には後述する駆動モータ７が取り付けられ、駆動モータ７から突出した回転軸７ａの中心に固定されて回転する。【００２０】  遮蔽体２は、プラスチックや木によって円盤状に形成され、外周側の１個所には収納部１ａに対応する位置に窓部２ａが形成されている。この窓部２ａは略半円状に形成され、その円周方向の幅は、収納部１ａの外径の幅に対してほぼ２倍から同じ幅に設定されている。これにより、上述した収納体１の複数の収納部１ａのうち、１個の収納部１ａを露出させる他、他の収納部１ａを遮蔽するようにしている。【００２１】  基盤６には、時計機構が配設されている。この時計機構は、図２に示すように、一定回転するモータ１０と、このモータ１０の回転により作動するカムスイッチ１１と、このカムスイッチ１１の通電により遮蔽体２を回転駆動する駆動モータ７によって構成されている。モータ１０は、交流電源の周波数に同期して回転する同期モータが好適であり、一定の回転数により回転する。【００２２】  カムスイッチ１１は、図３に示すように、モータ１０の回転軸と一体回転する回転体１１ａと、この回転体１１ａに設けられた棒状の突起１１ｂによってカム部が構成され、さらに、可動片１１ｃが突起１１ｂにより押圧されたときに作動するスイッチ１１ｄによって構成されている。このスイッチ１１ｄは、市販のマイクロスイッチを使用することが可能であり、可動片１１ｃは軽微な押圧力によって作動する。この可動片１１ｃを押圧する突起１１ｂは、図示のように先端を鋭角に形成し、俊敏にスイッチ１１ｄを切り替えるようにしている。【００２３】  次に、時計機構に動作について説明する。モータ１０は一定の速度で回転することにより、回転体１１ａに設けられた突起１１ｂによって構成されたカ���部が一体に回転する。図３（Ａ）に示すように、突起１１ｂが回転移動することにより、スイッチ１１ｄの可動片１１ｃを押圧してＯＮ状態となって駆動モータ７が駆動することにより遮蔽体２が回転する。所定時間後には、図３（Ｂ）に示すように、突起１１ｂの回転が継続していることから、可動片１１ｃから離れてＯＦＦ状態となって駆動モータ７が停止する。従って、駆動モータ７は、スイッチ１１ｄのＯＮ、ＯＦＦにより、一定のサイクルで間欠的に回転、停止を繰り返しながら遮蔽体２を回転させる。【００２４】  例えば、服用が予定された医薬品を１日の中で朝、昼、夕の適時に供給する場合には、遮蔽体２を２４時間で１回転することになる。このような場合には、例えば、一定の速度で回転するモータ１０により、カム部の突起１１ｂを３分で１回転するように設定する。なお、通常の場合、モータ１０は高速回転するため、出力軸に輪列機構を設けて１回転３分に設定することが望ましい。一方、突起１１ｂによって可動片１１ｃを押圧することによりスイッチ１１ｄをＯＮ状態にする時間を可動片１１ｃと突起１１ｂとの接触状態によって予め定め、スイッチ１１ｄがＯＮ状態のときに駆動モータ７が回転して遮蔽体２を回転させる角度θを設定する。２４時間で遮蔽体２を１回転するためには、スイッチ１１ｄが１回のＯＮ状態のときに遮蔽体２が３．７５度回転するように設定する。これにより、スイッチ１１ｄが４回ＯＮ状態なったときに、遮蔽体２が１時間分回転することになる。なお、モータ１０を１回転１０分に設定した場合は、スイッチ１１ｄが１回のＯＮ状態のときに遮蔽体２が３７．５度回転するように設定される。【００２５】  一方、収納体１は、遮蔽体２の回転に合わせて複数の収納部１ａが設けられている。図１に示すように、例えば、服用が予定された医薬品を１日の中で朝８時、昼１３時、夕１９時に供給する場合には、この時刻に対応した位置に収納部１ａを設けている。従って、複数の収納部１ａの位置は、円周方向において、不等間隔になっている。図示のように、朝８時に医薬品を供給する場合には、収納部１ａの位置に遮蔽体２の窓部２ａが対応しているので、図２に示すように、収納部１ａに収納された医薬品を取り出すことができる。その後、上述したように遮蔽体２が回転することにより、朝８時の位置の収納部１ａが遮蔽体２によって遮蔽される。仮に、朝８時に飲み忘れ或いは服用無視を行った場合には、医薬品を取り出せないため、重ね飲みや飲み過ぎといった問題を防止することができる。【００２６】  遮蔽体２に形成された窓部２ａの回転方向の幅は、収納部１ａの回転方向の幅よりやや大きく設定され、好ましくは２倍以下の幅となるように設定している。これにより、医薬品を取り出す時刻が数１０分から１時間程度になるので、例えば医薬品を食後に服用するよう指示された場合であっても、食事時刻が変動した場合であっても定められた食後に服用することが可能となる。なお、窓部２ａの幅を大きくして隣接する２つの収納部１ａに重なった場合であっても、収納部１ａが遮蔽体２によって遮蔽され、開口が小さくなることから医薬品が取り出せない状態となるので支障がない。【００２７】  なお、上述した実施例においては、１日２４時間に医薬品を適時に供給する場合について説明したが、２日以上にわたって医薬品を供給する場合には、収納部１ａを日数に応じた倍数となるように設ける一方、遮蔽体２を日数に応じて１回転するように上述した時計機構を設定すれば、所望の日数分の医薬品を供給することが可能となる。【００２８】  時計機構は、前述したように、モータ１０の回転により作動するカムスイッチ１１の通電により、駆動モータ１２を回転駆動して遮蔽体２を回転するように構成されている。このとき、遮蔽体２を正確に回転するためには、回転体１１ａに設けられた棒状の突起１１ｂによってスイッチ１１ｄの可動片１１ｃを押圧する時間の精度を高めるように調整する調整機構が必要になる。この調整機構に一例として、図３に示すように、モータ１０の回転軸と一体回転する回転体１１ａに設けられたカム部の突起１１ｂが、スイッチ１１ｄの可動片１１ｃに対して進退可能になるように、ねじ部１１ｅを形成し、突起１１ｂと可動片１１ｃの間隔を調整できるようにしている。【００２９】  この調整機構により、突起１１ｂを可動片１１ｃから離間した場合には、可動片１１ｃを押圧する期間が短くなり、これにより駆動モータ１２を回転駆動する時間が短くなるので、遮蔽体２の回転を遅らせることができる。反対に突起１１ｂを可動片１１ｃに近づけた場合には、可動片１１ｃを押圧する期間が長くなるので、遮蔽体２の回転を早めることができる。これによって、遮蔽体２の回転時間の精度を高められるので、医薬品を適時に供給することが可能となる。【００３０】  図４は、調整機構の他の実施例を示し、上述した実施例と相違する点は、スイッチ１１ｄ側を進退可能とする調整機構を設けたことである。図示のように、スイッチ１１ｄは、支持台１２に変位可能に載置された可動台１３に取り付けられている。支持台１２には進退可能な調整ねじ１４が設けられ、一端がスイッチ１１ｄを押圧するようにしている。一方、スイッチ１１ｄの他方側には押圧バネ１５が設けられている。これにより、調整ねじ１４を回転することにより、スイッチ１１ｄが押圧バネ１５の押圧力に抗して進退することから、突起１１ｂと可動片１１ｃの間隔を調整できるようにしている。【００３１】  上述したように、遮蔽体２は１日２４時間または数日に１回の回転のため、低速度となることから、医薬品供給装置の作動状態が確認できない場合がある。この点を解消するため、図１に示すように、遮蔽体２の回転よりも数倍以上高速で回転する動作表示部１５を設けている。この動作表示部１５は、例えば、一定の速度で回転するモータ１０の回転軸を遮蔽体２の表面まで突出させて取り付けることが好ましい。モータ１０の回転は遮蔽体２の回転よりも早いので、医薬品供給装置の作動状態を確認することができる。なお、動作表示部としては、他のモータを設けて回転する手段や、ＬＥＤ等の発光体によって表示する手段に変えても良い。【００３２】  以上、本発明を実施例に基づき具体的に説明したが、本発明は上記実施例に限定されるものではなく、その要旨を逸脱しない範囲で種々変形可能であることは言うまでもない。例えば、収納体１は、複数の収納部１ａが円環状に設けられているが、各々の収納部１ａの間に��ラストや文字或いは記号等を掲載し、遮蔽体２の窓部２ａから目視可能にしても良い。また、収納体１や遮蔽体２或いは遮蔽体２の窓部２ａを円形以外の多角形に形成しても良い。さらに、上述した実施例においては、遮蔽体２を駆動モータ７の回転軸に取り付けていたが、遮蔽体２の外周側に内歯車を設け、駆動モータ７によって回転する歯車を噛み合わせて駆動するように構成しても良い。さらにまた、遮蔽体２を固定し、収納体１を駆動モータ７によって回転するように構成しても良い。
【符号の説明】
【００３３】１    収納体
１ａ  収納部
２    遮蔽体
２ａ  窓部
３    医薬品
７    駆動モータ
１０  モータ
１１  カムスイッチ
１１ａ  回転体
１１ｂ  突起
１１ｃ  可動片
１１ｄ  スイッチ
１１ｅ  ねじ部
【図１】
2016144611.tif 000003
【図２】
2016144611.tif 000004
【図３】
2016144611.tif 000005
【図４】
2016144611.tif 000006